(57)【要約】      （修正有）【課題】高度の消臭性を有するが、それ自体には変色する機能がなく、消臭機能の実現を呈示することができないタオル、ハンカチ、インテリア用品、寝装品、衣料品等の各種繊維製品に、消臭機能の実現状態を認識できるようにすること。【解決手段】高度の消臭性を有するが、それ自体には変色する機能がなく、消臭機能の実現を呈示することができない消臭性繊維製品の側縁又は表面或いは裏面で目視可能な位置に、臭気成分の吸着によって変色機能を有する変わり糸を用いてステッチ、図柄若しくは文字等を刺繍又はミシン掛けして変色性飾り部を形成し、この飾り部は、見た目のデザインを重視して、臭気成分の吸着による変色を考慮して色配置を工夫してデザインされたものとし、繊維製品の使用に伴う変色性飾り部の変色により、繊維製品の消臭機能の実施を認識可能とした機能呈示型消臭性繊維製品である。【選択図】図１
0003111536.tif 000002
【実用新案登録請求の範囲】
【請求項１】
高度の消臭性を有するが、それ自体には変色する機能がなく、消臭機能の実現を呈示することができない消臭性繊維製品に、使用中実際に消臭機能が実現されていることを呈示することができるようにした機能呈示型消臭性繊維製品であって、
高度の消臭性を有するが、それ自体は臭気成分の吸着によって変色する機能がない消臭性繊維を用いてハンカチ、タオル、インテリア用品、寝装品、衣料品等の繊維製品本体を製作し、
前記繊維製品本体の側縁又は表面或いは裏面で目視可能な位置に、臭気成分の吸着によって変色機能を有する変わり糸を用いてステッチ、図柄若しくは文字等を刺繍又はミシン掛けして変色性飾り部を形成し、
この飾り部は、見た目のデザインを重視して、臭気成分の吸着による変色を考慮して色配置を工夫してデザインされたものとし、
前記繊維製品の使用に伴う前記変色性飾り部の変色により、前記繊維製品の消臭機能の実施を認識可能としたことを特徴とする機能呈示型消臭性繊維製品。
【請求項２】
前記変わり糸が、前記消臭性を有する繊維製品本体の消臭可能な臭気成分の少なくとも１つの臭気成分の吸着によって変色機能を有する変わり糸であることを特徴とする請求項１に記載の機能呈示型消臭性繊維製品。
【請求項３】
前記消臭性繊維が触媒反応によって臭気成分を分解する光触媒消臭繊維で構成されたものであることを特徴とする請求項１又は２に記載の機能呈示型消臭性繊維製品。
【請求項４】
前記消臭性繊維が臭気成分を吸着する消臭剤含有繊維であることを特徴とする請求項１又は２に記載の機能呈示型消臭性繊維製品。
【請求項５】
前記変色性飾り部に代えてそこに雄又は雌の面ファスナーを設け、これに前記面ファスナーに対応する雌又は雄の面ファスナーの表面側に前記変わり糸で刺繍又はミシン掛けして作ったシールを貼付可能としたことを特徴とする請求項１及至４のいずれか１項記載の機能呈示型消臭性繊維製品。
【請求項６】
前記変色性飾り部に代えて、そこに前記変わり糸を表面側に位置させて作った糊付けシールを貼付可能としたことを特徴とする請求項１及至５のいずれか１項記載の機能呈示型消臭性繊維製品。
【考案の詳細な説明】
【技術分野】
【０００１】
本考案は、高度の消臭性を有するが、それ自体は臭気成分の吸着によって変色する機能がなく、消臭機能の実現を呈示することができない繊維製品に、使用中に実際消臭機能が実現されていることを呈示できるようにした機能呈示型消臭性繊維製品に関するものである。
【背景技術】
【０００２】
近年、タオル、ハンカチ、インテリア用品、寝装品、衣料品等の各種繊維製品に、消臭性の機能のある繊維製品が販売されるようになってきた。しかしながら、消費者が消臭性繊維製品を購入して使用しても、実際に消臭効果が有ったかどうかを全く認識できないことが多く、この高度有用製品に疑いを持って購入せず、又仮に購入しても次回から消臭性繊維製品を購入しなくなるケースが続発している。
【０００３】
特開2003-301356号公報には、有臭ガス吸着に伴って変色する繊維を消臭性繊維構造物自体に使用し、基準色表示部の色との差により消臭能力の変化を視認し、消臭性繊維構造物の取替え時期を判別できる冷蔵庫、ごみ箱、食器棚、下駄箱等の臭いを消臭するインジケーター付き消臭性繊維構造物が開示されている。
【０００４】
しかしながら、上記インジケーター付き消臭性繊維構造物は、繊維構造物全体が特定の一色に変色するので、冷蔵庫、ごみ箱、食器棚、下駄箱等の限られた空間内で消臭のみが目的である消臭性繊維構造物には使用できても、タオル、ハンカチ、インテリア用品、寝装品、衣料品等のファッション性を有する各種繊維製品には使用できなかった。
【特許文献１】特開2003-301356号公報、第1，2頁
【考案の開示】
【考案が解決しようとする課題】
【０００５】
本考案は上記問題点に鑑み、消臭性を有するが、それ自体は臭気成分の吸着によって変色する機能がないタオル、ハンカチ、インテリア用品、寝装品、衣料品等のファッション性を有する各種繊維製品に、消臭機能の実現状態を実際認識させて、その効果を証明し、この高度有用製品をより購入し易く、また使用し易くすることを目的とする。
【課題を解決するための手段】
【０００６】
本考案は、上記目的を達成するために鋭意検討した結果、消臭機能の実現を呈示することができない消臭性繊維製品の飾り部に、臭気成分の吸着によって変色機能を有する変わり糸を用いることにより、消臭機能が実現されていることを呈示することができることを見出し本考案に到達した。即ち、本考案は、高度の消臭性を有するが、それ自体には変色する機能がなく、消臭機能の実現を呈示することができない消臭性繊維製品に、使用中実際に消臭機能が実現されていることを呈示することができるようにした機能呈示型消臭性繊維製品であって、高度の消臭性を有するが、それ自体は臭気成分の吸着によって変色する機能がない消臭性繊維を用いてタオル、ハンカチ、インテリア用品、寝装品、衣料品等の繊維製品本体を製作し、前記繊維製品本体の側縁又は表面或いは裏面で目視可能な位置に、臭気成分の吸着によって変色機能を有する変わり糸を用いてステッチ、図柄若しくは文字等を刺繍又はミシン掛けして変色性飾り部を形成し、この飾り部は、見た目のデザインを重視して、臭気成分の吸着による変色を考慮して色配置を工夫してデザインされたものとし、前記繊維製品の使用に伴う前記変色性飾り部の変色により、前記繊維製品の消臭機能の実施を認識可能としたことを特徴とする機能呈示型消臭性繊維製品である。
【０００７】
本考案の機能呈示型消臭性繊維製品において、前記変わり糸が、前記消臭性を有する繊維製品本体の消臭可能な臭気成分の少なくとも１つの臭気成分の吸着によって変色機能を有する変わり糸であることが好ましい。
【０００８】
また、本考案の機能呈示型消臭性繊維製品において、前記消臭性繊維が触媒反応によって臭気成分を分解する光触媒消臭繊維で構成されたものであることが好ましい。前記触媒としては、二酸化チタンに代表される紫外線に応答する光触媒と、酸窒化チタン等による紫外線と可視光に応答する光触媒と、リン酸チタニア化合物に代表される空気中の酸素と水に接触して応答する無光触媒とがある。
【０００９】
また、本考案の機能呈示型消臭性繊維製品において、前記消臭性繊維が臭気成分を吸着する消臭剤含有繊維であることが好ましい。前記消臭剤としては、臭気成分を吸着して飽和状態に達した消臭性繊維製品を洗濯するか、又は日光若しくは風に当てると消臭機能が回復する消臭剤であることが特に好ましい。
【００１０】
更にまた、本考案の機能呈示型消臭性繊維製品において、前記飾り部に代えてそこに雄又は雌の面ファスナーを設け、これに前記面ファスナーに対応する雌又は雄の面ファスナーの表面側に前記変わり糸で刺繍又はミシン掛けして作ったシールを貼付可能としたことが特に好ましい。
【００１１】
更にまた、本考案の機能呈示型消臭性繊維製品において、前記飾り部に代えて、そこに前記変わり糸を表面側に位置させて作った糊付けシールを貼付可能としたことが好ましい。
【考案の効果】
【００１２】
以上のように本考案は実用新案登録請求の範囲に記載された通りの機能呈示型消臭性繊維製品なので、下記のような効果がある。
【００１３】
消臭性繊維製品本体の側縁又は表面或いは裏面で目視可能な位置に、臭気成分の吸着によって変色機能を有する変わり糸を用いてステッチ、図柄若しくは文字等を刺繍又はミシン掛けして変色性飾り部を形成しているので、使用中実際に消臭機能が実現されていることが呈示され、消臭機能の実現状態を認識することができる。
【００１４】
更に、この飾り部は、臭気成分の吸着による変色を考慮して色配置を工夫してデザインされているので、臭気成分の吸着によって色が変わっても見た目に製品価値を低下させることがない。
【００１５】
前記消臭性を有する繊維製品本体が触媒反応によって臭気成分を分解する消臭繊維であるので、その消臭効果は半永久的であり、前記の変わり糸の変色度合いで前記繊維製品の消臭機能の実現状態を認識できるし、大腸菌等の目に見えない汚れの進行の目安になり、洗濯時期のシグナルともなる。
【００１６】
また、前記消臭性を有する繊維製品本体が臭気成分を吸着する消臭剤含有繊維であるので、前記の変わり糸の変色度合いで、前記繊維製品の消臭機能の実現状態を認識することができ、前記臭気成分を飽和状態まで吸着したことを推測できる。更に、前記臭気成分を飽和状態まで吸着した消臭剤含有繊維を、洗濯するか、又は日光若しくは風に当てると消臭機能が回復する消臭剤である場合は、前記の変わり糸の変色度合いで、前記臭気成分を飽和状態まで吸着したことを推測でき、洗濯時期のシグナルとなる。
【００１７】
更に、前記飾り部に代えてそこに雄又は雌の面ファスナーを設け、これに前記面ファスナーに対応する雌又は雄の面ファスナーの表面側に前記変わり糸で刺繍又はミシン掛けして作ったシールを貼付可能にしているか、又は、前記飾り部に代えて、そこに前記変わり糸を表面側に位置させて作った糊付けシールを貼付可能にしているので、前記繊維製品を洗濯する毎に前記シールを貼り替えることができ、何回でも前記繊維製品が臭気成分を吸着する度合いを認識でき、次の洗濯時期のシグナルとなる。
【考案を実施するための最良の形態】
【００１８】
本考案を実施するための最良の形態について、図面を用いて説明する。
【００１９】
図1は、本考案を繊維製品本体としてハンカチに適用した一実施形態を示す機能呈示型消臭性繊維製品の部分平面図である。高度の消臭性を有するが、それ自体には変色する機能がなく、消臭機能の実現を呈示することができない消臭性繊維製品であるハンカチ1の側縁に、ハンカチ1の本体の消臭可能な臭気成分の少なくとも１つの臭気成分の吸着によって変色機能を有する変わり糸を用いて、飾り部としてハマグリ状ステッチ2をミシン掛けしたものである。
【００２０】
図２は、本考案を繊維製品本体としてハンカチ1に適用した他の実施形態に係る機能呈示型消臭性繊維製品の部分平面図である。図2では、高度の消臭性を有するが、それ自体には変色する機能がなく、消臭機能の実現を呈示することができない消臭性繊維製品であるハンカチ1の側縁に、ハンカチ1の本体の消臭可能な臭気成分の少なくとも１つの臭気成分の吸着によって変色機能を有する変わり糸を用いて、飾り部としてカギステッチ3をミシン掛けしたものである。
【００２１】
図1や図２のハンカチ1の本体は、白色若しくは無地染色、又はプリント染色（図示せず）されたものである。飾り部である前記ステッチ部の変色機能を有する変わり糸は、臭気成分の吸着による変色前後の色調が共にハンカチ1の本体の色と調和するように考慮して色配置を工夫してデザインされて飾り部を形成しているので、臭気成分の吸着によって色が変わっても見た目に製品価値を低下させることがない。
【００２２】
図3は、本考案を繊維製品本体としてタオルに適用した一実施形態に係る機能呈示型消臭性繊維製品の部分平面図である。高度の消臭性を有するが、それ自体には変色する機能がなく、消臭機能の実現を呈示することができない消臭性繊維でパイル織されたタオル4の表面に、花びら模様を刺繍したものである。タオル4の本体はハンカチ1と同様に、白色若しくは無地染色、又はプリント染色（図示せず）されたものであり、花びら5はそれ自体臭気成分の吸着によって変色する機能がない糸で刺繍されているのに対して、花びら6はタオル4の消臭可能な臭気成分の少なくとも１つの臭気成分の吸着によって変色機能を有する変わり糸を用いて刺繍されている。花びら6の変わり糸は、臭気成分の吸着による変色前後の色調が、タオル4の本体や花びら5の色と調和するように考慮して色配置を工夫してデザインされて飾り部を形成しているので、臭気成分の吸着によって変色しても、逆に花びら６が美しく見える等、製品品位を低下させるものではない。前記の変わり糸は、臭気成分の吸着によって変色機能がない糸よりも高価なので、図3のように刺繍模様の一部のみを臭気成分の吸着により変色機能を有する変わり糸で刺繍するのがコスト的にも有利である。
【００２３】
高度の消臭性を有するが、それ自体には変色する機能がなく、消臭機能の実現を呈示することができない消臭性繊維としては、例えば、Zn、Si、Ti、Fe、Al、Ag、Cu等の金属酸化物、Si／Zn又はTi／Znの複合酸化物、水溶性ヒドラジン誘導体、水溶性エポキシ樹脂、ポリビニルアミン化合物、天然抽出物等の消臭剤から選ばれる少なくとも一つを合成繊維に練り込むか、又は合成樹脂で繊維に固着させて用いられる。特に、消臭能力が半永久的と言われている、触媒反応によって臭気成分を分解する消臭剤も有力である。前記触媒としては、二酸化チタンに代表される紫外線に応答する光触媒と、酸窒化チタン等による紫外線と可視光に応答する光触媒と、リン酸チタニア化合物に代表される空気中の酸素と水に接触して応答する無光触媒とがある。これらの触媒に、金属のリン酸塩、二価金属の水酸化物、カテキン、鉄フタロシアニン系化合物、二酸化ケイ素等から選ばれる少なくとも一つを併用するのがよい。これらの消臭剤を合成繊維に練り込むか、又は合成樹脂で繊維に固着させた繊維が使用される。また、日光や風に当てることや洗濯等により消臭能力が再生する消臭性繊維、特に、サンランド（株）の消臭性綿紡績糸から選ぶのも有力である。
【００２４】
消臭剤の種類によって消臭可能な臭気成分が異なるので、前記の繊維製品本体の消臭可能な臭気成分と下記変わり糸の消臭可能な臭気成分の少なくとも１つの臭気成分が一致する消臭剤を選定するのが良く、公知の文献や特許公報、消臭剤メーカーの性能表や消臭試験結果によって臭気成分や、消臭性能が略一致する消臭剤を選定するのが良い。前記の変わり糸として、銀、銅及びこれらの金属化合物の中から選ばれた少なくとも1種の消臭成分を含有する繊維が好適に使用される。
【００２５】
図1のハマグリ状ステッチ2、図2のカギステッチ3、そして図3の花びら6の変わり糸からなる飾り部は、臭気成分を吸着すると、消臭剤や消臭成分によって定まる特定色に次第に変色する。前記変わり糸を前もって染色しておくと、その染色された色と前記特定色とがミックスされた色調となるので、そのミックスされた色調が繊維製品本体の色調と調和するような色に前もって染色しておくこと、臭気成分の吸着によって色が変わっても見た目に製品価値を低下させることがない。図3の花びら６の代わりに、野菜や果物の色を変化させたり、動物の目の色の輝き変化させたりして、商品価値を向上させるデザインとするのも好ましいと言える。これらの変わり糸の変色度合いで、前記繊維製品の消臭機能の実現状態を認識できる。
【００２６】
更に、ハンカチ1やタオル4の繊維製品本体が、前記の触媒系の消臭剤含有繊維で構成されている場合、その消臭効果は半永久的であり、前記変わり糸の変色度合いで、前記ハンカチ1やタオル4の消臭機能の実現状態を認識できるし、大腸菌等の目に見えない汚れの進行の目安になり、洗濯時期のシグナルともなる。
【００２７】
また、ハンカチ1やタオル4の繊維製品本体が、前記の洗濯等によって消臭機能が再生される消臭剤含有繊維で構成されている場合、前記変わり糸の変色度合いでハンカチ1やタオル4が、前記臭気成分を飽和状態近くまで吸着したことを認識でき、一回目の洗濯時期のシグナルとなる。
【００２８】
前記の変わり糸は、臭気成分を飽和状態まで吸着して濃い特定色に変化した後、洗濯等によって元の色に戻るのが理想的であるが、現在のところこのような変わり糸は製品化されていない。そこで、臭気成分の吸着によって変色機能を有する前記変わり糸を表面側に位置させて作った糊付けシール7を複数枚用意しておき、図3に示すように洗濯する毎にシール7をタオル4のヘナ8に貼り替えることができ、何回でも前記繊維製品が臭気成分を吸着する度合いを認識でき、次の洗濯時期を示すシグナルとなる。図3で示すように、変わり糸からなる花びら6等の飾り部とシール7を併用するのが好ましい。
【００２９】
尚、前記シール7の粘着剤の代わりに、タオル4のヘナ8に雄又は雌の面ファスナーを設け、これに前記面ファスナーに対応する雌又は雄の面ファスナーの表面側に前記変わり糸で刺繍又はミシン掛けして作ったシールを貼付可能とするのが好ましい。ここで、タオル4側を雌の面ファスナーとし、シール側を雄の面ファスナーとするのが、シールを剥ぎ取った後のタオルの風合いを悪化させないので好ましいといえる。
【００３０】
図1のハマグリ状ステッチ2、図2のカギステッチ3は、ステッチの一例として取り上げたもので、その他の如何なる形状のステッチであっても良いし、図3の図柄も如何なる図柄や文字、更に線状物であっても良い。
【００３１】
［実施例］
高度の消臭性を有するが、それ自体には変色する機能がなく、消臭機能の実現を呈示することができない消臭性繊維として、アンモニアやトリメチルアミンを消臭可能なサンランド（株）の消臭性綿紡績糸を用いて製織した白色のハンカチの側縁を、アンモニア臭気を消臭可能な銅化合物系の消臭成分を含有した淡いねずみ色に染色された変わり糸を用いて図１に示すようなハマグリ状ステッチ2をミシン掛けした。得られたハンカチを用いて、アンモニア臭気のあるくみ取り式トイレ室内に広げて吊した。
【００３２】
２週間後に観察した結果、トイレ室内のアンモニア臭気は緩和されており、前記ハマグリ状ステッチは淡いねずみ色から青色に変色して美観を呈しながら、恰も生態変化したかの如く美しく見えた。
【００３３】
以上のように、前記ハマグリ状ステッチの美しい青色変色により、ハンカチの商品価値が向上し、ハンカチのアンモニア臭気に対する吸着度合いの実現状態を認識することができた。
【００３４】
本考案は上記実施形態や実施例に限定されるものではなく、本考案の要旨を逸脱しない範囲で、インテリア用品、寝装品、衣料品、その他の各種繊維製品に、適宜変形して実施することができる。
【図面の簡単な説明】
【００３５】
【図１】本考案をハンカチに適用した一実施形態を示す機能呈示型消臭性繊維製品の部分平面図である。
【図２】本考案をハンカチに適用した他の実施形態に係る機能呈示型消臭性繊維製品の部分平面図である。
【図３】本考案をタオルに適用した一実施形態に係る機能呈示型消臭性繊維製品の部分平面図である。
【符号の説明】
【００３６】
1  ハンカチ
2  ハマグリ状ステッチ
3  カギステッチ
4  タオル
5  通常糸製花びら
6  変わり糸製花びら
7  シール
8  ヘナ
【図１】
0003111536.tif 000003
【図２】
0003111536.tif 000004
【図３】
0003111536.tif 000005